(57)【要約】【課題】防水性能の向上を図ることが可能な防水栓を提供する。【解決手段】防水栓２１は、この全体がハウジングにおける収容部内に挿入されるものであり、収容部の内面に接するハウジングシール部２７と、電線の外面に接する電線シール部２９とを有する。また、防水栓２１は、防水栓第一端部３０と、この反対側の防水栓第二端部３１とを有する。ハウジングシール部２７には、防水栓第一端部３０側に配置される外側第一リップ部３３と、防水栓第二端部３１側に配置される外側第二リップ部３４と、これらの間に配置される外側第三リップ部３５とが形成される。また、電線シール部２９には、ハウジングシール部２７と同じ形状になる内側第一リップ部３６と、内側第二リップ部３７と、内側第三リップ部３８とが形成される。このような防水栓２１には、潰れ変形可能な第一撓み空間３９と、第二撓み空間４０とが同じ形状の環状溝部４１により形成される。【選択図】図３
2015220171.tif 000002
【特許請求の範囲】
【請求項１】
ハウジングにおける収容部の内面に接するハウジングシール部と、電線の外面に接する電線シール部とを有して、前記ハウジングと前記電線との間の防水性能確保に用いられる防水栓において、
当該防水栓は、前記収容部の開口端側に防水栓第一端部を有するとともに該防水栓第一端部の反対側に防水栓第二端部を有して全体が前記収容部内に挿入されるものであり、
前記ハウジングシール部の前記防水栓第一端部側には、断面視山形状の外側第一リップ部が形成され、
該外側第一リップ部と前記電線シール部との間には、潰れ変形可能な第一撓み空間が形成され、
該第一撓み空間は、前記防水栓第一端部を開口して形成され且つ前記外側第一リップ部の頂部から電線軸に向けて垂直に引いた垂直線上又は該垂直線の近傍までの深さに形成される
ことを特徴とする防水栓。
【請求項２】
請求項１に記載の防水栓において、
前記第一撓み空間は、前記防水栓第一端部を前記電線軸に沿って凹ませ且つ該凹みを環状にした環状溝部により形成される
ことを特徴とする防水栓。
【請求項３】
請求項２に記載の防水栓において、
前記環状溝部は、溝底が前記垂直線よりも奥に位置する形状に形成される
ことを特徴とする防水栓。
【請求項４】
請求項２又は３に記載の防水栓において、
前記環状溝部は、前記外側第一リップ部と前記電線シール部との間における前記垂直線の中央位置に合わせて配置形成される
ことを特徴とする防水栓。
【請求項５】
請求項２、３又は４に記載の防水栓において、
前記環状溝部は、前記外側第一リップ部が前記垂直線に沿って弾性変形した際に、前記第一撓み空間を形成する面同士が接する形状に形成される
ことを特徴とする防水栓。
【請求項６】
請求項５に記載の防水栓において、
前記環状溝部は、断面視すり鉢形状に形成される
ことを特徴とする防水栓。
【請求項７】
請求項１、２、３、４、５又は６に記載の防水栓において、
前記ハウジングシール部の前記防水栓第二端部側には、前記外側第一リップ部と同じ形状になる外側第二リップ部が形成され、
該外側第二リップ部と前記電線シール部との間には、前記第一撓み空間と同じになる第二撓み空間が形成される
ことを特徴とする防水栓。
【請求項８】
請求項７に記載の防水栓において、
前記電線軸の方向に沿った前記外側第一リップ部と前記外側第二リップ部との間には、外側第三リップ部が一又は複数配置形成される
ことを特徴とする防水栓。
【請求項９】
請求項８に記載の防水栓において、
前記外側第三リップ部は、前記外側第一リップ部及び前記外側第二リップ部よりも頂部が低くなる断面視山形状に形成される
ことを特徴とする防水栓。
【請求項１０】
請求項８又は９に記載の防水栓において、
前記電線シール部には、前記外側第一リップ部、前記外側第二リップ部、及び前記外側第三リップ部と同じ形状になる内側第一リップ部、内側第二リップ部、及び内側第三リップ部が形成される
ことを特徴とする防水栓。
【発明の詳細な説明】
【技術分野】
【０００１】
本発明は、ハウジングにおける収容部の内面に接するハウジングシール部と、電線の外面に接する電線シール部とを有する防水栓に関する。
【背景技術】
【０００２】
複数本の電線からなるワイヤハーネスの端末にコネクタが設けられ、このコネクタに防水性能を持たせるために防水栓が用いられる（具体的には、ハウジングと電線との間の防水性能確保に用いられる）。
【０００３】
図６において、例えば下記特許文献１に開示された防水栓１は、所謂ゴム栓であって、ハウジングにおける収容部２の内面３に接するハウジングシール部４と、電線５の外面６に接する電線シール部７と、ハウジングシール部４に連続して収容部２の開口端８から外側に延出する外筒部９と、電線シール部７に連続して開口端８から外側に延出する内筒部１０と、外筒部９及び内筒部１０の間に形成される溝部１１と、内筒部１０の反対側に配置形成される先端筒部１２とを有する。
【０００４】
ハウジングシール部４には、二つのリップ部１３が形成される。このようなハウジングシール部４に連続する外筒部６は、外側に向けて徐々に拡大する形状に形成され、基端部１４が収容部２の開口端８に圧接する。一方、電線シール部７には、三つの小さなリップ部１５が形成される。三つの小さなリップ部１５は、ハウジングシール部４の二つのリップ部１３に対し電線軸方向に位置をずらして配置形成される。尚、内筒部１０は、外筒部６に比べ薄肉に形成される。
【先行技術文献】
【特許文献】
【０００５】
【特許文献１】特開平７−１４２１１８号公報
【発明の概要】
【発明が解決しようとする課題】
【０００６】
ところで、上記従来の防水栓１にあっては、使用時に次のような問題点を有する。すなわち、溝部１１が図示の如く溝状に存在する形状であることから、収容部２における開口端８の位置での反発力（弾力）が小さくなってしまい、この小さな反発力の状態で更に電線５が塑性変形によって細くなってしまった場合には（塑性変形によって被覆が薄くなり電線外径が小さくなった場合には）、十分な防水性能の確保が困難であるという問題点を有する。また、上記の状態で電線５を屈曲させた場合には、防水栓１の追従性が悪くなるのは勿論であることから、上記同様に防水性能の確保が困難であるという問題点を有する。
【０００７】
また、上記従来の防水栓１にあっては、収容部２の開口端８から外側に延出する部分を有することから、収容部２に対する挿入方向性が存在する形状であり、そのため作業性に影響を来してしまうという問題点や、延出部分を保護するための保護部品をコネクタに追加しなければならないという問題点、さらには、延出部分があることから、過度に電線５を屈曲させた場合に防水栓１が外側に飛び出してしまうという問題点、そのため飛び出し防止部品をコネクタに追加しなければならないという問題点など、様々な問題点を有する。
【０００８】
尚、上記従来の防水栓１に限らないが、防水栓を収容部に挿入する際に、挿入先端側の部分が捲れあがらない形状（裏返らない形状）であることが好ましいのは勿論である。
【０００９】
本発明は、上記した事情に鑑みてなされたもので、防水性能の向上を図ることが可能な防水栓を提供することを課題とする。
【課題を解決するための手段】
【００１０】
上記課題を解決するためになされた請求項１に記載の本発明は、ハウジングにおける収容部の内面に接するハウジングシール部と、電線の外面に接する電線シール部とを有して、前記ハウジングと前記電線との間の防水性能確保に用いられる防水栓において、当該防水栓は、前記収容部の開口端側に防水栓第一端部を有するとともに該防水栓第一端部の反対側に防水栓第二端部を有して全体が前記収容部内に挿入されるものであり、前記ハウジングシール部の前記防水栓第一端部側には、断面視山形状の外側第一リップ部が形成され、該外側第一リップ部と前記電線シール部との間には、潰れ変形可能な第一撓み空間が形成され、該第一撓み空間は、前記防水栓第一端部を開口して形成され且つ前記外側第一リップ部の頂部から電線軸に向けて垂直に引いた垂直線上又は該垂直線の近傍までの深さに形成されることを特徴とする。
【００１１】
請求項２に記載の本発明は、請求項１に記載の防水栓において、前記第一撓み空間は、前記防水栓第一端部を前記電線軸に沿って凹ませ且つ該凹みを環状にした環状溝部により形成されることを特徴とする。
【００１２】
請求項３に記載の本発明は、請求項２に記載の防水栓において、前記環状溝部は、溝底が前記垂直線よりも奥に位置する形状に形成されることを特徴とする。
【００１３】
請求項４に記載の本発明は、請求項２又は３に記載の防水栓において、前記環状溝部は、前記外側第一リップ部と前記電線シール部との間における前記垂直線の中央位置に合わせて配置形成されることを特徴とする。
【００１４】
請求項５に記載の本発明は、請求項２、３又は４に記載の防水栓において、前記環状溝部は、前記外側第一リップ部が前記垂直線に沿って弾性変形した際に、前記第一撓み空間を形成する面同士が接する形状に形成されることを特徴とする。
【００１５】
請求項６に記載の本発明は、請求項５に記載の防水栓において、前記環状溝部は、断面視すり鉢形状に形成されることを特徴とする。
【００１６】
請求項７に記載の本発明は、請求項１、２、３、４、５又は６に記載の防水栓において、前記ハウジングシール部の前記防水栓第二端部側には、前記外側第一リップ部と同じ形状になる外側第二リップ部が形成され、該外側第二リップ部と前記電線シール部との間には、前記第一撓み空間と同じになる第二撓み空間が形成されることを特徴とする。
【００１７】
請求項８に記載の本発明は、請求項７に記載の防水栓において、前記電線軸の方向に沿った前記外側第一リップ部と前記外側第二リップ部との間には、外側第三リップ部が一又は複数配置形成されることを特徴とする。
【００１８】
請求項９に記載の本発明は、請求項８に記載の防水栓において、前記外側第三リップ部は、前記外側第一リップ部及び前記外側第二リップ部よりも頂部が低くなる断面視山形状に形成されることを特徴とする。
【００１９】
請求項１０に記載の本発明は、請求項８又は９に記載の防水栓において、前記電線シール部には、前記外側第一リップ部、前記外側第二リップ部、及び前記外側第三リップ部と同じ形状になる内側第一リップ部、内側第二リップ部、及び内側第三リップ部が形成されることを特徴とする。
【００２０】
以上のような特徴を有する本発明によれば、ハウジングにおける収容部内に防水栓の全体が挿入される。すなわち、本発明は、収容部の開口端から外側に防水栓の一部分が延出するものでない。また、本発明によれば、第一撓み空間を有する防水栓であり、電線が仮に塑性変形によって細くなったとしても（塑性変形によって被覆が薄くなり電線外径が小さくなったとしても）、その細さに応じるように第一撓み空間が追従する防水栓である。また、本発明によれば、上記の如く塑性変形によって細くなった状態で電線を屈曲させてもその屈曲に応じるように第一撓み空間が追従する防水栓である。また、本発明によれば、電線にこの軸方向の外力が加わった場合であっても第一撓み空間が変形して電線シール部側が電線の動きに追従し、逆にハウジングシール部側は動き難くなる防水栓である。また、本発明によれば、第一撓み空間の潰れにより電線の被覆へ与える力が軽減され、結果、上記塑性変形が抑制される防水栓である。
【発明の効果】
【００２１】
請求項１に記載された本発明によれば、防水栓第一端部に開口し且つ外側第一リップ部の頂部から電線軸に向けて垂直に引いた垂直線上又は該垂直線の近傍までの深さになる潰れ可能な第一撓み空間を防水栓に形成することから、防水性能の向上に有効な反発力を防水栓に持たせることができるという効果を奏する。より具体的には、電線が仮に塑性変形によって細くなったとしてもその細さに応じるように第一撓み空間が追従することから、結果、防水性能の向上を図ることができるという効果を奏する。また、塑性変形によって細くなった状態で電線を屈曲させてもその屈曲に応じるように第一撓み空間が追従することから、結果、防水性能の向上を図ることができるという効果を奏する。また、本発明によれば、潰れ可能な第一撓み空間を形成することから、電線被覆へ与える力を軽減して上記塑性変形を抑制することができるという効果を奏する。すなわち、防水性能の向上を図ることができるという効果を奏する。また、本発明によれば、潰れ可能な第一撓み空間を形成することから、防水栓挿入時の挿入力を低減することができるという効果を奏する。また、本発明によれば、潰れ可能な第一撓み空間を形成することから、電線にこの軸方向の外力が加わった場合であっても動き難くする部分を持たせ、結果、防水栓のズレや傾き等を防止することができるという効果を奏する。また、本発明によれば、ハウジングにおける収容部の開口端から外側に延出する部分のない防水栓であることから、保護部品や飛び出し防止部品などを不要とし、結果、コネクタの部品点数削減に寄与することができるという効果を奏する。
【００２２】
請求項２に記載された本発明によれば、第一撓み空間を形成する環状溝部の形状を、電線軸に沿って凹ませた形状、且つこの凹みを環状にした形状にすることから、防水性能の向上に有効な反発力を電線被覆の外面で均等に作用させることができるという効果を奏する。
【００２３】
請求項３に記載された本発明によれば、第一撓み空間を形成する環状溝部の形状を、外側第一リップ部の頂部から電線軸に向けて垂直に引いた垂直線よりも奥に溝底が位置する形状にすることから、防水栓挿入時に外側第一リップ部の弾性変形に伴って第一撓み空間が潰れる。つまり、垂直線の位置で第一撓み空間があればその分、外側第一リップ部の弾性変形がし易くなるので、結果、挿入力を低減させることができるという効果を奏する。
【００２４】
請求項４に記載された本発明によれば、第一撓み空間を形成する環状溝部の配置を、外側第一リップ部と電線シール部との中央位置に合わせることから、防水性能の向上に有効な反発力を外側第一リップ部と電線シール部とに均等に作用させることができるという効果を奏する。
【００２５】
請求項５に記載された本発明によれば、防水栓挿入時に外側第一リップ部が弾性変形し、その際に環状溝部において第一撓み空間を形成する面同士が接触するまで潰れることから、復元しようとする力を大きく生じさせることができ、結果、電線が仮に塑性変形によって細くなったとしてもその細さに確実に応じるように、また、細くなった状態で電線を屈曲させてもその屈曲に確実に応じるように作用させることができるという効果を奏する。
【００２６】
請求項６に記載された本発明によれば、環状溝部の形状を断面視すり鉢形状にすることから、第一撓み空間を形成する面同士が確実に接触するような形状にすることができるという効果を奏する。
【００２７】
請求項７に記載された本発明によれば、防水栓第一端部の反対側となる防水栓第二端部に外側第一リップ部と同じ形状の外側第二リップ部を形成することから、また、第一撓み空間と同じになる第二撓み空間も形成することから、収容部に対する挿入方向性のない形状の防水栓にすることができ、結果、作業性の向上を図ることができるという効果を奏する。
【００２８】
請求項８に記載された本発明によれば、外側第一リップ部と外側第二リップ部との間に外側第三リップ部を一又は複数配置形成することから、防水栓挿入時において外側第一リップ部や外側第二リップ部の倒れを起こり難くすることができるという効果を奏する。従って、防水性能の維持に寄与することができるという効果を奏する。
【００２９】
請求項９に記載された本発明によれば、断面視山形状で頂部が外側第一リップ部及び外側第二リップ部よりも低くなるように外側第三リップ部を形成することから、防水栓挿入時に外側第一リップ部及び外側第二リップ部と同じくらいに弾性変形をさせる必要はなく、結果、外側第三リップ部を形成しても挿入力を増大させずに作業性を維持することができるという効果を奏する。この他、ハウジングにおける収容部の内面に接する程度の高さで外側第三リップ部を形成すれば、防水性能の向上に寄与することができるという効果を奏する。
【００３０】
請求項１０に記載された本発明によれば、ハウジングシール部と電線シール部とに同じ形状の部分を形成することから、防水性能の向上に有効な反発力を均等に発揮させることができ、結果、防水性能の向上に寄与することができるという効果を奏する。
【図面の簡単な説明】
【００３１】
【図１】本発明の防水栓の使用状態を示す断面図である。
【図２】防水栓の斜視図である。
【図３】防水栓の断面図である。
【図４】防水栓における環状溝部の拡大断面図である。
【図５】防水栓の使用状態における環状溝部の拡大断面図である。
【図６】従来例の防水栓の使用状態を示す断面図である。
【発明を実施するための形態】
【００３２】
防水栓は、この全体がハウジングにおける収容部内に挿入されるものであり、収容部の内面に接するハウジングシール部と、電線の外面に接する電線シール部とを有する。また、防水栓は、防水栓第一端部と、この反対側の防水栓第二端部とを有する。ハウジングシール部には、防水栓第一端部側に配置される外側第一リップ部と、防水栓第二端部側に配置される外側第二リップ部と、これらの間に配置される外側第三リップ部とが形成される。また、電線シール部には、ハウジングシール部と同じ形状になる内側第一リップ部と、内側第二リップ部と、内側第三リップ部とが形成される。このような防水栓には、潰れ変形可能な第一撓み空間と、第二撓み空間とが同じ形状の環状溝部により形成される。
【実施例】
【００３３】
以下、図面を参照しながら実施例を説明する。図１は本発明の防水栓の使用状態を示す断面図である。また、図２は防水栓の斜視図、図３は防水栓の断面図、図４は防水栓における環状溝部の拡大断面図、図５は防水栓の使用状態における環状溝部の拡大断面図である。
【００３４】
図１において、引用符号２１は本発明の防水栓を示す。防水栓２１は、複数本の電線２２からなるワイヤハーネスの端末に設けられるコネクタに対し、防水性能を持たせるために用いられる。具体的には、電線２２とハウジング２３との間の防水性能確保に用いられる。防水栓２１は、所謂ゴム栓であって、この全体が樹脂製のハウジング２３の収容部２４内に挿入される。防水栓２１は、公知の材料にて成形される（材料は特に限定されない。シール性及び弾力性を有すればよい）。尚、引用符号２５は、収容部２４の開口端を示す。開口端２５は、円形に開口するように形成される。
【００３５】
図１ないし図３において、防水栓２１は、収容部２４の内面２６に接するハウジングシール部２７と、電線２２の外面２８（被覆外面）に接する電線シール部２９とを有する。また、防水栓２１は、防水栓第一端部３０と、この反対側の防水栓第二端部３１と、これら防水栓第一端部３０及び防水栓第二端部３１を貫通する電線挿通孔３２とを有する。
【００３６】
ハウジングシール部２７には、防水栓第一端部３０側に配置される外側第一リップ部３３と、防水栓第二端部３１側に配置される外側第二リップ部３４と、これらの間に配置される外側第三リップ部３５とが形成される。また、電線シール部２９には、ハウジングシール部２７と同じ形状になる内側第一リップ部３６と、内側第二リップ部３７と、内側第三リップ部３８とが形成される（特に限定しないが、ハウジングシール部２７と同じ形状が好ましい）。このような防水栓には、潰れ変形可能な第一撓み空間３９と、第二撓み空間４０とが同じ形状の環状溝部４１、４１により形成される。
【００３７】
防水栓２１は、図からも分かるが、挿入方向性が存在しない形状に形成される。すなわち、防水栓２１の端部となる防水栓第一端部３０と防水栓第二端部３１は、同じ形状に形成される。このような防水栓第一端部３０と防水栓第二端部３１は、電線軸Ａの方向に所定の距離で配置される。尚、防水栓第一端部３０と防水栓第二端部３１は、外側に延出する部分が存在しない形状に形成される（すなわち、図６の従来例とは異なる形状に形成される）。
【００３８】
外側第一リップ部３３は、収容部２４の内面２６に向けて凸となる断面視山形状に形成される。この山形状が電線２２の周方向に連続することにより、外観が環状に形成される。外側第一リップ部３３の頂部４２は、断面視円弧状に形成される。外側第一リップ部３３は、収容部２４への挿入前で、頂部４２からの径寸法Ｂが開口端２５の開口寸法Ｃよりも大きくなるように形成される（Ｂ＞Ｃ）。
【００３９】
外側第二リップ部３４は、収容部２４の内面２６に向けて凸となる断面視山形状に形成される。この山形状が電線２２の周方向に連続することにより、外観が環状に形成される。外側第二リップ部３４の頂部４３は、断面視円弧状に形成される。外側第二リップ部３４は、本実施例において外側第一リップ部３３と同じ形状に形成される。
【００４０】
外側第三リップ部３５は、収容部２４の内面２６に向けて凸となる断面視山形状に形成される。この山形状が電線２２の周方向に連続することにより、外観が環状に形成される。外側第三リップ部３５の頂部４４は、外側第一リップ部３３の頂部４２及び外側第二リップ部３４の頂部４３よりも高さが低くなるように形成される。別な言い方をすれば、外側第三リップ部３５は、外側第一リップ部３３及び外側第二リップ部３４よりも小さな山形状に形成される。外側第三リップ部３５は、防水栓２１が収容部２４へ挿入された際に、頂部４４が収容部２４の内面２６に接する程度の高さに形成される。外側第三リップ部３５は、外側第一リップ部３３及び外側第二リップ部３４に対し平坦部を作らずに連続するように形成される。別な言い方をすれば、谷となる形状位置で直ぐに外側第三リップ部３５が連続するように形成される。このような配置の外側第三リップ部３５は、外側第一リップ部３３及び外側第二リップ部３４が弾性変形した際、この倒れを防止する部分として機能する（倒れ防止に関しては後述する）。尚、外側第三リップ部３５は本実施例に限らず複数あってもよい。
【００４１】
内側第一リップ部３６は、電線２２の外面２８に向けて（電線挿通孔３２側に）凸となる断面視山形状に形成される。この山形状が電線２２の周方向に連続することにより、外観が環状に形成される。内側第一リップ部３６の頂部４５は、断面視円弧状に形成される。内側第一リップ部３６は、電線２２への挿入前で、頂部４５からの径寸法Ｄが電線２２の外径寸法Ｅよりも小さくなるように形成される（Ｄ＜Ｅ）。
【００４２】
内側第二リップ部３７は、電線２２の外面２８に向けて（電線挿通孔３２側に）凸となる断面視山形状に形成される。この山形状が電線２２の周方向に連続することにより、外観が環状に形成される。内側第二リップ部３７の頂部４６は、断面視円弧状に形成される。内側第二リップ部３７は、本実施例において内側第一リップ部３６と同じ形状に形成される。
【００４３】
内側第三リップ部３８は、電線２２の外面２８に向けて（電線挿通孔３２側に）凸となる断面視山形状に形成される。この山形状が電線２２の周方向に連続することにより、外観が環状に形成される。内側第三リップ部３８の頂部４７は、内側第一リップ部３６の頂部４５及び内側第二リップ部３７の頂部４６よりも高さが低くなるように形成される。別な言い方をすれば、内側第三リップ部３８は、内側第一リップ部３６及び内側第二リップ部３７よりも小さな山形状に形成される。内側第三リップ部３８は、防水栓２１が電線２２に挿通された際に、頂部４７が電線２２の外面２８に接する程度の高さに形成される。内側第三リップ部３８は、内側第一リップ部３６及び内側第二リップ部３７が弾性変形した際、この倒れを防止する部分として形成される。尚、内側第三リップ部３８は本実施例に限らず複数あってもよい。
【００４４】
図３において、防水栓２１の断面形状部分を引用符号４８で示すと、この断面形状部分４８における水平線Ｆは電線軸Ａに平行な線になる。水平線Ｆは、断面形状部分４８の中心線であり、また、ハウジングシール部２７と電線シール部２９とを二分するような線でもある。この他、外側第一リップ部３３の頂部４２と、内側第一リップ部３６の頂部４５とを線で結ぶと、この線は電線軸Ａに対し垂直な線になる。これを垂直線Ｇと呼ぶことにすると、垂直線Ｇの中央位置で水平線Ｆが交差する。
【００４５】
図からも分かるように、ハウジングシール部２７（外側第一リップ部３３、外側第二リップ部３４、及び外側第三リップ部３５）と、電線シール部２９（内側第一リップ部３６、内側第二リップ部３７、及び内側第三リップ部３８）は、水平線Ｆで線対称となる形状に形成される。
【００４６】
上記の垂直線Ｇや水平線Ｆに基づき、以下では第一撓み空間３９、第二撓み空間４０、及び環状溝部４１について説明をする。尚、第一撓み空間３９と第二撓み空間４０は同じ形状であり、ここでは第一撓み空間３９の方を環状溝部４１と共に説明する。
【００４７】
図１ないし図４において、第一撓み空間３９は、防水栓第一端部３０に開口し且つ垂直線Ｇの近傍までの深さになる潰れ変形可能な（撓み可能な）空間に形成される。このような第一撓み空間３９は、防水栓第一端部３０を電線軸Ａに沿って凹ませ、且つ凹みを環状にした環状溝部４１により形成される。環状溝部４１は、垂直線Ｇの中央位置に合わせて配置形成される。別な言い方をすれば、水平線Ｆを中心線にして配置形成される。本実施例の環状溝部４１は、溝底４９が垂直線Ｇよりも僅かに奥に位置する形状に形成される（微少な寸法Ｈ参照）。尚、溝底４９が垂直線Ｇ上に位置する形状や、垂直線Ｇの手前側に位置する形状であってもよい（本実施例が一番有効であるのは勿論である）。
【００４８】
環状溝部４１は、断面視すり鉢形状に形成される。また、環状溝部４１は、外側第一リップ部３３が垂直線Ｇに沿って弾性変形した際に、第一撓み空間３９を形成する面５０、５０同士が図１及び図５に示す如く接する形状に形成される。環状溝部４１は、水平線Ｆで線対称となる形状に形成される（一例であるが、面５０、５０同士が接し且つ水平線Ｆで線対称となる形状が最も好ましい）。
【００４９】
上記構成及び構造において、防水栓２１を電線２２に挿通し、この後に電線２２の端末に図示しない端子金具を装着し、そして、防水栓２１の全体をハウジング２３の収容部２４内に挿入すると、図１に示す状態になり、電線２２とハウジング２３との間の防水性能が確保される。
【００５０】
本発明によれば、防水栓第一端部３０に開口し且つ垂直線Ｇの近傍までの深さになる潰れ可能な第一撓み空間３９を形成することから、防水性能の向上に有効な反発力を防水栓２１に持たせることができる。より具体的には、電線２２が仮に塑性変形によって細くなったとしてもその細さに応じるように第一撓み空間３９が追従することから、結果、従来例よりも防水性能を向上させることができる。また、塑性変形によって細くなった状態で電線２２を屈曲させてもその屈曲に応じるように第一撓み空間３９が追従することから、結果、従来例よりも防水性能を向上させることができる。
【００５１】
また、本発明によれば、潰れ可能な第一撓み空間３９を形成することから、電線２２の外面２８へ与える力を軽減して上記塑性変形を抑制することができる。すなわち、従来例よりも防水性能を向上させることができる。
【００５２】
また、本発明によれば、潰れ可能な第一撓み空間３９を形成することから、収容部２４への防水栓２１の挿入時において、この挿入力を低減することができる。また、本発明によれば、潰れ可能な第一撓み空間３９を形成することから、電線２２に電線軸Ａの方向の外力が加わった場合であっても動き難くする部分を持たせることができる。これにより、防水栓２１のズレや傾き等を防止することができる。
【００５３】
また、本発明によれば、ハウジング２３における収容部２４の開口端２５から外側に延出する部分のない防水栓２１であることから、防水栓２１に対する保護部品や飛び出し防止部品などを不要とすることができる。従って、コネクタの部品点数削減に寄与することができる。
【００５４】
また、本発明によれば、図４に示す如く垂直線Ｇよりも寸法Ｈの分だけ奥に溝底４９が位置する形状の環状溝部４１であることから、垂直線Ｇの位置では第一撓み空間３９としての空間が生じ、従って収容部２４への防水栓２１の挿入時に外側第一リップ部３３が弾性変形するとその作用で第一撓み空間３９が潰れる。つまり、垂直線Ｇの位置で第一撓み空間３９があればその分、外側第一リップ部３３の弾性変形がし易くなるので、結果、防水栓２１の挿入力を低減させることができる。また、本発明によれば、垂直線Ｇの中央位置に合わせて環状溝部４１（第一撓み空間３９）を配置形成することから、防水性能の向上に有効な反発力をハウジングシール部２７と電線シール部２９とに均等に作用させることができる。
【００５５】
また、本発明によれば、防水栓２１の挿入時に外側第一リップ部３３が弾性変形し、その際に環状溝部４１において第一撓み空間３９を形成する面５０、５０同士が接触するまで潰れることから、復元しようとする力を大きく生じさせることができ、結果、電線２２が仮に塑性変形によって細くなったとしてもその細さに確実に応じるように、また、細くなった状態で電線２２を屈曲させてもその屈曲に確実に応じるように作用させることができる。
【００５６】
また、本発明によれば、環状溝部４１の形状を断面視すり鉢形状にすることから、第一撓み空間３９を形成する面５０、５０同士を確実に接触させることができる。また、本発明によれば、外側第三リップ部３５を形成することから、防水栓２１の挿入時に外側第一リップ部３３や外側第二リップ部３４の倒れを起こり難くすることができる。具体的には、外側第一リップ部３３及び外側第二リップ部３４に対し平坦部を作らずに直ぐに谷となる形状位置で外側第三リップ部３５を連続させるように配置形成することから、外側第一リップ部３３及び外側第二リップ部３４の弾性変形の際の倒れ移動を外側第三リップ部３５の存在によって堰き止めることができる。すなわち、倒れ移動を抑制することができる。この倒れ移動の抑制は、外側第三リップ部３５の頂部４４の高さが収容部２４の内面２６に接する程度の高さであることも寄与する。何故ならば、外側第一リップ部３３及び外側第二リップ部３４が倒れようとしてその作用が外側第三リップ部３５に及んできても、外側第三リップ部３５の頂部４４が収容部２４の内面２６に接することで外側第三リップ部３５自体の弾性変形が抑制されるからである。外側第三リップ部３５が弾性変形し難い状態であれば、上記倒れ移動が堰き止められるのは（抑制されるのは）勿論である。以上説明したように、外側第一リップ部３３や外側第二リップ部３４の倒れを起こり難くすれば、防水性能の維持に寄与することができる。
【００５７】
本発明は本発明の主旨を変えない範囲で種々変更実施可能なことは勿論である。
【符号の説明】
【００５８】
２１…防水栓、  ２２…電線、  ２３…ハウジング、  ２４…収容部、  ２５…開口端、  ２６…内面、  ２７…ハウジングシール部、  ２８…外面、  ２９…電線シール部、  ３０…防水栓第一端部、  ３１…防水栓第二端部、  ３２…電線挿通孔、  ３３…外側第一リップ部、  ３４…外側第二リップ部、  ３５…外側第三リップ部、  ３６…内側第一リップ部、  ３７…内側第二リップ部、  ３８…内側第三リップ部、  ３９…第一撓み空間、  ４０…第二撓み空間、  ４１…環状溝部、  ４２〜４７…頂部、  ４８…断面形状部分、  ４９…溝底、  ５０…面、  Ａ…電線軸、  Ｆ…水平線、  Ｇ…垂直線
【図１】
2015220171.tif 000003
【図２】
2015220171.tif 000004
【図３】
2015220171.tif 000005
【図４】
2015220171.tif 000006
【図５】
2015220171.tif 000007
【図６】
2015220171.tif 000008